【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
位置指示器と、前記位置指示器を検出するタブレットと、
前記位置指示器の入力操作に対応する操作パネルと前記位置指示器の現在位置を示すカーソルとを表示するディスプレイと、により構成される操作入力装置であって、
前記操作パネルは、
原点を有するラジアルメニューからなり、前記ラジアルメニューは前記原点から外側に伸びる領域により形成される第1のウェッジが含まれ、前記領域には前記原点からの角度位置にもとづく所定の最大値及び最小値を有する範囲の変数が関連付けられており、
前記ラジアルメニューは更に、
前記第１のウェッジに配置された第１の変数調整器を含み、前記第１の変数調整器は、前記カーソルによって前記第１のウェッジ内での前記原点に対し角度的な移動を可能とするとともに、前記第１のウェッジ内における前記第１の変数調整器の角度位置に基づいて前記変数の現在値を選択することを特徴とする操作入力装置。
【請求項２】
前記ラジアルメニューが更に、
前記原点と前記カーソルの前記現在位置の間に連続的に引かれたインジケータ線を含む、  
請求項１に記載の操作入力装置。
【請求項３】
前記第１のウェッジが、該変数の現在値を表示する現在値インジケータを含む、請求項１に記載の操作入力装置。
【請求項４】
前記第１のウェッジにより境界を定められた領域へ前記カーソルが入るかまたはその内部で移動することに応じて前記現在値インジケータが表示される、請求項３に記載の操作入力装置。
【請求項５】
前記第１のウェッジが、
前記第１のウェッジの第１のラジアル境界を画定し、該変数の所定の最小値を表わす最小境界と、
最小境界の反対側にあって、前記第１のウェッジの第２のラジアル境界を画定し、該変数の所定の最大値を表わす最大境界と、を含み、
前記カーソルが、該変数の現在値を調整すべく前記最大境界と最小境界の間を角度的に移動可能（ａｎｇｕｌａｒｌｙ ｍｏｖａｂｌｅ）である、請求項１に記載の操作入力装置。
【請求項６】
前記最大境界に関連付けられ、該変数の所定の最大値を表示する最大値インジケータと、
前記最小境界に関連付けられ、該変数の所定の最小値を表示する最小値インジケータと、を更に含む、請求項５に記載の操作入力装置。
【請求項７】
前記第１の変数調整器が前記ラジアルメニューの原点から伸びる移動可能な線を含み、
前記移動可能な線は前記ラジアルメニューの前記原点に最も近い第１端部および前記ラジアルメニューの前記原点から最も遠い第２端部を有していて、前記カーソルを用いて前記第１端部と前記第２端部の間で点を選択して移動させることにより前記移動可能な線が角度的に移動可能である、請求項１に記載の操作入力装置。
【請求項８】
前記第１の変数調整器が、前記ラジアルメニューの前記原点から伸びる移動可能な線を含み、前記移動可能な線は前記原点に最も近い第１端部および前記原点から最も遠い第２端部を有し、前記第２端部は、カーソルの移動が前記移動可能な線の角度位置および／または長さを変更するように前記カーソルの位置に対応する、請求項１に記載の操作入力装置。
【請求項９】
前記原点から遠ざかるカーソルの移動が、前記移動可能な線の前記第２端部を前記第１端部から遠方へ移動させることにより前記移動可能な線の長さを長くし、前記原点に近づく前記カーソルの移動が、前記第２端部を前記第１端部の近くへ移動させることにより前記移動可能な線の長さを短くし、前記カーソルを前記原点の回りを角度的に移動させることにより前記移動可能な線の角度位置を変える、請求項８に記載の操作入力装置。
【請求項１０】
前記カーソルの移動履歴が該操作入力装置に表示されるよう、該ラジアルメニュー全体にわたり前記カーソルの移動経路をトレースすベく連続的に描画されるトレーシング線を更に含む、請求項８に記載の操作入力装置。
【請求項１１】
第１の入力が受理されたならば、前記第１のウェッジが前記ラジアルメニューの原点に対して外側境界を有する有界モードで前記ラジアルメニューが起動され、前記第１の入力とは異なる第２の入力が受理されたならば、前記第１のウェッジが前記ラジアルメニューの原点に対して画定された外側境界を有しない非有界モードで前記ラジアルメニューが起動される、請求項１に記載の操作入力装置。
【請求項１２】
第１の入力が第1ボタンの選択を含み、第２の入力が第２ボタンの選択を含む、請求項１１に記載の操作入力装置。
【請求項１３】
第１の入力が、該入力装置に関連付けられたボタンの選択および解除を含み、第２の入力が、該入力装置に関連付けられたボタンの選択および保持を含む、請求項１２に記載の操作入力装置。
【請求項１４】
前記第１のウェッジが複数の異なるラジアル領域を含み、各々の領域が少なくとも１個の他の領域の視覚的特徴とは異なる視覚的特徴を有する、請求項１に記載の操作入力装置。
【請求項１５】
前記第１のウェッジが非選択領域および選択領域を含み、前記選択領域がより広い弧長を有する、請求項１に記載の操作入力装置。
【請求項１６】
前記ラジアルメニューが更に前記原点から外側へ伸びる第２の領域を画定する第２のウェッジを含み、前記第２のウェッジが前記カーソルにより選択可能な固定項目に関連付けられていて、前記第２のウェッジの前記第２の領域が前記第１のウェッジの前記領域より小さい、請求項１に記載の操作入力装置。
【請求項１７】
操作入力装置で使用するラジアルメニューであって、
コントロール変数を表わす少なくとも１個のウェッジと、該メニューの原点から前記ウェッジ内へ伸びる少なくとも１個の移動可能なラインインジケータとを含み、
前記ウェッジは、該コントロール変数の所定の最大値を表わす最大ラジアル境界および該コントロール変数の所定の最小値を表わす最小ラジアル境界を有していて、前記ラジアル境界は該メニューの原点から外側へ伸びており、
前記ラインインジケータが、該所定の最大値と最小値の間で前記コントロール変数の値を選択すべく調整可能な角度位置を有し、該コントロール変数の選択された値が該所定の最大値および最小値に関して前記ラインインジケータと前記最大および最小ラジアル境界の間の角距離に比例して各々決定される、ラジアルメニュー。
【請求項１８】
所定の最小値と所定の最大値の間の値に設定可能な少なくとも１個の変数を、位置指示器の現在位置を示すカーソルを有するグラフィカルユーザーインターフェースに動作可能に関連付けられた位置指示器を用いて制御する方法であって、
メニュー起動コマンドに応答して、前記グラフィカルユーザーインターフェース内のラジアルメニューであって、原点と、少なくとも、該変数に関連付けられていて原点から伸びる第１のウェッジとを有して、原点回りのカーソルの角度位置に基づいて該変数の現在値を選択すべくカーソルが第１のウェッジ内で移動可能であるラジアルメニューを起動するステップと、
該位置指示器を介して、カーソルを第１のウェッジ内で移動させて原点回りのカーソルの角度位置を変更する移動コマンドを受理するステップと、
該変数の現在値を変更して原点回りのカーソルの変更された角度位置を反映させ、該変数の現在値を表示するステップと、を含む方法。
【請求項１９】
ラジアルメニューの起動、移動コマンドの受理、および現在値の変更が、入力装置に関連付けられたボタンの１回のボタン選択により行われ、該ボタンを押下することによりラジアルメニューが表示され、カーソルが第１のウェッジ内にある間にボタンを解除することによりカーソルが置かれている角度位置の選択がなされる、請求項１８に記載の方法。
【請求項２０】
ラジアルメニューの起動、移動コマンドの受理、および現在値の変更が、該入力装置に関連付けられたボタンの１回のボタン選択と、該ボタンの選択がなされてから所定の時間が経過した時の第１のウェッジ内におけるカーソルの角度位置を自動的に選択するタイマーとにより行われる請求項１８に記載の方法。
【請求項２１】
ラジアルメニューの起動が、ウェッジ内で少なくとも第１の変数調整器を表示することを含み、該ウェッジ内における該第１の変数調整器の角度位置に基づいて該変数の現在値を選択すべく、該第１の変数調整器がカーソルにより選択可能であり且つ前記第１のウェッジ内における自身の角度位置を変更すべく角度的に移動可能であり、
ラジアルメニューの起動、移動コマンドの受理、および現在値の変更が、該入力装置に関連付けられた少なくとも１個のボタンの２回ボタン選択により行われ、第１のボタン選択によりラジアルメニューが表示され、第２のボタン選択により該第１の変数調整器を選択および／または移動させる、請求項１８に記載の方法。
【請求項２２】
第２のボタン選択が、最初に該ボタンを押下して該第１の変数調整器を選択することと、中途で該ボタンを保持して該第１の変数調整器を角度的に移動可能にさせることと、その後に該ボタンを解除して該第１の変数調整器の角度位置を設定させることを含む、請求項２１に記載の方法。
【請求項２３】
少なくとも１個の関連付けられたボタンを有する入力装置とカーソルを有するディスプレイとが関連付けられているラジアルコントロールメニューを用いて、変数の値を設定する方法であって、
該入力装置における前記少なくとも１個のボタンの第１の選択を受理するステップと、
第１の選択に応答して該ディスプレイ上に該ラジアルコントロールメニューを表示するステップであって、該ラジアルコントロールメニューが自身の中央に原点と、少なくとも１個の、該原点から伸びるウェッジを有し、自身の原点が該ディスプレイ上におけるカーソルの位置に対応するように該ラジアルコントロールメニューが表示されるステップと、
該入力装置を移動させてカーソルを該少なくとも１個のウェッジ内へ移動させるステップと、
原点に関するカーソルの角度位置に基づいて該変数の現在値を決定して、該少なくとも１個のウェッジに関する該変数の現在値を表示するステップと、
該少なくとも１個のボタンの第２の選択を受理して、現在表示されている値を該変数の値として設定するステップとを含む方法。
【請求項２４】
前記入力装置が、少なくとも１個の第１ボタンを有するタブレットおよび少なくとも１個の第２ボタンを有する位置指示器を含み、第１の選択が、該タブレット上で該少なくとも１個の第１ボタンを選択することを含み、第２の選択が、位置指示器上で該少なくとも１個の第２ボタンを選択することを含む、請求項２３に記載の方法。
【請求項２５】
コンピュータシステムであって、
ラジアルコントロールメニューを有するグラフィカルユーザーインターフェースを表示するディスプレイであって、該ラジアルコントロールメニューが複数のウェッジを含み、
前記ウェッジの少なくとも１個が、自身の内部に置かれて、前記ウェッジ内の少なくとも１個の基準点に対する位置に基づいて対応する変数の値を決定すべく移動可能な可動インジケータを含むディスプレイと、
前記グラフィカルユーザーインターフェースと対話するための入力装置と、
前記入力装置の動作に基づいて該グラフィカルユーザーインターフェースおよび該ラジアルコントロールメニューを制御すべく前記入力装置に動作可能な状態で関連付けられた処理ユニットであって、該変数の現在値を格納する値格納ユニットと、該変数の現在値に基づいて前記可動インジケータを表示すべく前記グラフィカルユーザーインターフェースを制御し、該少なくとも１個の基準点に対する該可動インジケータの位置が前記入力装置を用いて変更された場合に前記値格納ユニットに格納されている該現在値を更新すべく、前記ディスプレイ、前記入力装置および前記値格納ユニットと通信するインジケータ位置ユニットを含む処理ユニットとを含んでいるコンピュータシステム。
【請求項２６】
前記入力装置が、
筐体、前記筐体により画定される位置検出面、および少なくとも１個の、前記筐体上に配置されていて前記ディスプレイ上のラジアルコントロールメニューを起動するべく選択可能であるボタンを含むデジタイザタブレットと、
前記デジタイザタブレットに動作可能な状態で関連付けられていて、前記位置検出面と対話して該ラジアルコントロールメニュー内で該可動インジケータを制御すべく移動可能である位置指示器とを含む、請求項２５に記載のコンピュータシステム。
【手続補正２】
【補正対象書類名】明細書
【補正対象項目名】発明の名称
【補正方法】変更
【補正の内容】
【発明の名称】操作入力装置、操作入力装置で使用するラジアルメニュー、ラジアルコントロールメニューを用いて変数の値を設定する方法、及びコンピュータシステム
【手続補正３】
【補正対象書類名】明細書
【補正対象項目名】０００２
【補正方法】変更
【補正の内容】
【０００２】
本発明は、ラジアルコントロールメニューおよびラジアルコントロールメニューを提示するための操作入力装置に関する。本発明はまた、ラジアルコントロールメニューを用いた変数制御方法およびこれを実行するコンピュータシステムに関する。
【手続補正４】
【補正対象書類名】明細書
【補正対象項目名】００１４
【補正方法】変更
【補正の内容】
【００１４】
本発明は、位置指示装置の動きをディスプレイ上に表示する操作入力装置を提供する。本発明の操作入力装置は、カーソルおよびラジアルメニューを含んでいる。ラジアルメニューは、ラジアルメニューの中央に配置された原点と、少なくとも、原点から外側へ伸びる領域を画定する第１のウェッジを含んでいる。ウェッジは、所定の最小値と所定の最大値の間の値に設定可能な変数と関連付けられている。カーソルは、ディスプレイ上における入力装置の現在位置を示す。カーソルは、原点に対するカーソルの角度位置に基づいて変数の現在値を選択すべく第１のウェッジ内で移動可能である。
【手続補正５】
【補正対象書類名】明細書
【補正対象項目名】００１５
【補正方法】変更
【補正の内容】
【００１５】
本発明はまた、操作入力装置とともに用いるラジアルメニューを提供する。メニューは、コントロール変数を表わす少なくとも１個のウェッジを含んでいる。ウェッジは、コントロール変数の所定の最大値を表わす最大ラジアル境界およびコントロール変数の所定の最小値を表わす最小ラジアル境界を有している。これらのラジアル境界はメニューの原点から外側へ伸びる。少なくとも１個の移動可能なラインインジケータがメニューの原点からウェッジ内へ伸びている。ラインインジケータは、所定の最大値と最小値の間でコントロール変数の値を選択するための調整可能な角度位置を有している。コントロール変数として選択された値は所定の最大値および最小値に関して、ラインインジケータと最大および最小ラジアル境界の間の角距離に比例して各々決定される。
【手続補正６】
【補正対象書類名】明細書
【補正対象項目名】００１６
【補正方法】変更
【補正の内容】
【００１６】
本発明はまた、動作可能な状態で操作入力装置を用いて、所定の最小値と所定の最大値の間の値に設定可能な少なくとも１個の変数を制御する方法を提供する。本方法は、メニュー起動コマンドに応答してグラフィカルユーザーインターフェースのラジアルメニューを起動するステップを含んでいる。ラジアルメニューは、原点と、少なくとも、変数に関連付けられていて原点から伸びる第１のウェッジを有して、カーソルの原点回りの角度位置に基づいて変数の現在値を選択すべくカーソルが第１のウェッジ内で移動可能である。本方法は更に、入力装置を介して移動コマンドを受理することを含んでいる。移動コマンドにより、第１のウェッジ内でカーソルが移動してカーソルの原点回りの角度位置を変更する。変数の現在値は次いで、カーソルの原点回りの変更された角度位置を反映すべく変更されて、そして変数の現在値が表示される。